(57)【要約】  撮像装置（１００）は、撮像部（１１５）と、制御部（１３５）と、報知部（１６５）と、を備える。撮像部は、光学系（１１０）を介して入射する被写体像を撮像する。制御部は、光学系により被写体像に合焦する合焦動作を制御する。報知部は、合焦動作に応じて所定の周波数特性を有する合焦音を出力する。合焦音の周波数特性は、第１の周波数に基づく第１音成分と、第１の周波数よりも高くて且つ第１の周波数の２倍の周波数よりも低い第２の周波数に基づく第２音成分とを含む。
2020129576.tif 000002
【特許請求の範囲】
【請求項１】
光学系を介して入射する被写体像を撮像する撮像部と、
前記光学系により前記被写体像に合焦する合焦動作を制御する制御部と、
前記合焦動作に応じて所定の周波数特性を有する合焦音を出力する報知部と、
を備え、
前記合焦音の周波数特性は、第１の周波数に基づく第１音成分と、前記第１の周波数よりも高くて且つ前記第１の周波数の２倍の周波数よりも低い第２の周波数に基づく第２音成分とを含む
撮像装置。
【請求項２】
前記合焦音が、前記第１音成分と前記第２音成分とにおいて協和音を構成するように、前記第１及び第２の周波数が設定された
請求項１に記載の撮像装置。
【請求項３】
前記合焦音の協和音は、完全５度と完全４度とのうちの少なくとも一方である
請求項２に記載の撮像装置。
【請求項４】
前記報知部は、前記合焦音をフェードアウトさせるように出力する
請求項１〜３のいずれか１項に記載の撮像装置。
【請求項５】
前記合焦音は、第１の音波と、前記第１の音波から時間間隔をあけて出力される第２の音波とを含み、
前記第２の音波の振幅は、前記第１の音波の振幅よりも大きい
請求項１〜４のいずれか１項に記載の撮像装置。
【発明の詳細な説明】
【技術分野】
【０００１】
本開示は、合焦時に応じた効果音である合焦音を発する撮像装置に関する。
【背景技術】
【０００２】
従来から、撮像装置において合焦したことをユーザに報知するように合焦音が用いられている。例えば特許文献１のように、従来の合焦音は、単一の周波数による単音を複数回、鳴らす組み合わせ音（非特許文献１）で構成されている。【０００３】
特許文献２は、報時時計において不協音程が発音される際の不快感を解消させることを目的とした音階表音装置を開示している。音階表音装置は、１２音音階の各音階音と定時に該当する各時刻とを対応付け、１２音音階のうちの１つである基礎音を表音する毎に、その時刻に対応した音階構成音を表音するように表音部を制御する。この際、基礎音に対して不協音程の音階構成音が表音される場合がある。そこで、このような場合には当該音階構成音を含んだ長３和音等の少なくとも１つの和音構成音を重ねて表音させることで、不協音程による不快感の解消を図っている。
【先行技術文献】
【特許文献】
【０００４】
【特許文献１】特開２０００−１２１９２１号公報
【特許文献２】特開２００４−１４５０９８号公報
【非特許文献】
【０００５】
【非特許文献１】「家電製品における操作性向上のための報知音に関するガイドライン」、一般財団法人  家電製品協会  ユニバーサルデザイン技術委員会、２０１８年３月
【非特許文献２】岩宮眞一郎、「音質評価指標  −入門とその応用−」、日本音響学会誌、６６巻、１２号、２０１０年、ｐ．６０３−６０９
【発明の概要】
【発明が解決しようとする課題】
【０００６】
従来、合焦音は同じ周波数の単音による組み合わせ音で構成されており、特に不協音程を有していない。しかし、従来の合焦音は、不協音程とは別の耳障りな不快感をユーザに与えてしまう問題に、本願発明者は着目し、この問題を解決するべく鋭意研究を重ねた。【０００７】
本開示は、合焦音による耳障りを和らげることができる撮像装置を提供する。
【課題を解決するための手段】
【０００８】
本開示の撮像装置は、撮像部と、制御部と、報知部と、を備える。撮像部は、光学系を介して入射する被写体像を撮像する。制御部は、光学系により被写体像に合焦する合焦動作を制御する。報知部は、合焦動作に応じて所定の周波数特性を有する合焦音を出力する。合焦音の周波数特性は、第１の周波数に基づく第１音成分と、第１の周波数よりも高くて且つ第１の周波数の２倍の周波数よりも低い第２の周波数に基づく第２音成分とを含む。
【発明の効果】
【０００９】
本開示の撮像装置によれば、合焦音による耳障りを和らげることができる。
【図面の簡単な説明】
【００１０】
【図１】本開示の実施の形態１に係るデジタルカメラの構成を示す図
【図２】デジタルカメラの動作を示すフローチャート
【図３】デジタルカメラの合焦音の周波数特性を説明するための図
【図４】２音間の協和度を示す図
【図５】実施の形態１に係るデジタルカメラの合焦音の波形を説明するための図
【図６】他の実施の形態に係るデジタルカメラの合焦音の波形を説明するための図
【図７】他の実施の形態に係るデジタルカメラの合焦音の波形を説明するための図
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１２】
（実施の形態１）
実施の形態１では、本開示に係る撮像装置の一例として、合焦動作を行って合焦音を出力するデジタルカメラについて説明する。本実施の形態のデジタルカメラは、レンズ一体型のデジタルカメラである。
【００１３】
〔１−１．構成〕
実施の形態１に係るデジタルカメラの構成について、図１を用いて説明する。
【００１４】
図１は、本実施形態に係るデジタルカメラ１００の構成を示す図である。本実施形態のデジタルカメラ１００は、イメージセンサ１１５と、画像処理エンジン１２０と、表示モニタ１３０と、コントローラ１３５とを備える。さらに、デジタルカメラ１００は、バッファメモリ１２５と、カードスロット１４０と、フラッシュメモリ１４５と、操作部１５０と、通信モジュール１５５と、報知部１６５と、を備える。また、デジタルカメラ１００は、例えば光学系１１０及びレンズ駆動部１１２を備える。
【００１５】
光学系１１０は、フォーカスレンズ、ズームレンズ、光学式手ぶれ補正レンズ（ＯＩＳ）、絞り、シャッタ等を含む。フォーカスレンズは、イメージセンサ１１５上に形成される被写体像のフォーカス状態を変化させるためのレンズである。ズームレンズは、光学系で形成される被写体像の倍率を変化させるためのレンズである。フォーカスレンズ等は、それぞれ１枚又は複数枚のレンズで構成される。
【００１６】
レンズ駆動部１１２は、光学系１１０におけるフォーカスレンズ等を駆動する。レンズ駆動部１１２はモータを含み、コントローラ１３５の制御に基づいてフォーカスレンズを光学系１１０の光軸に沿って移動させる。レンズ駆動部１１２においてフォーカスレンズを駆動する構成は、ＤＣモータ、ステッピングモータ、サーボモータ、または超音波モータなどで実現できる。
【００１７】
イメージセンサ１１５は、光学系１１０を介して形成された被写体像を撮像して、撮像データを生成する。撮像データは、イメージセンサ１１５による撮像画像を示す画像データを構成する。イメージセンサ１１５は、所定のフレームレート（例えば、３０フレーム／秒）で新しいフレームの画像データを生成する。イメージセンサ１１５における、撮像データの生成タイミングおよび電子シャッタ動作は、コントローラ１３５によって制御される。イメージセンサ１１５は、ＣＭＯＳイメージセンサ、ＣＣＤイメージセンサ、またはＮＭＯＳイメージセンサなど、種々のイメージセンサを用いることができる。
【００１８】
イメージセンサ１１５は、静止画像の撮像動作、スルー画像の撮像動作等を実行する。スルー画像は主に動画像であり、ユーザが静止画像の撮像のための構図を決めるために表示モニタ１３０に表示される。スルー画像及び静止画像は、それぞれ本実施形態における撮像画像の一例である。イメージセンサ１１５は、本実施形態における撮像部の一例である。
【００１９】
画像処理エンジン１２０は、イメージセンサ１１５から出力された撮像データに対して各種の処理を施して画像データを生成したり、画像データに各種の処理を施して、表示モニタ１３０に表示するための画像を生成したりする。各種処理としては、ホワイトバランス補正、ガンマ補正、ＹＣ変換処理、電子ズーム処理、圧縮処理、伸張処理等が挙げられるが、これらに限定されない。画像処理エンジン１２０は、ハードワイヤードな電子回路で構成してもよいし、プログラムを用いたマイクロコンピュータ、プロセッサなどで構成してもよい。
【００２０】
表示モニタ１３０は、種々の情報を表示する表示部の一例である。例えば、表示モニタ１３０は、イメージセンサ１１５で撮像され、画像処理エンジン１２０で画像処理された画像データが示す画像（スルー画像）を表示する。また、表示モニタ１３０は、ユーザがデジタルカメラ１００に対して種々の設定を行うためのメニュー画面等を表示する。表示モニタ１３０は、例えば、液晶ディスプレイデバイスまたは有機ＥＬデバイスで構成できる。なお、図１では図示を省略しているが、デジタルカメラ１００は、ＥＶＦなどのファインダを備えてもよい。
【００２１】
操作部１５０は、デジタルカメラ１００の外装に設けられた操作釦や操作レバー等のハードキーの総称であり、使用者による操作を受け付ける。操作部１５０は、例えば、レリーズ釦、モードダイヤル、タッチパネルを含む。操作部１５０はユーザによる操作を受け付けると、ユーザ操作に対応した操作信号をコントローラ１３５に送信する。
【００２２】
コントローラ１３５は、デジタルカメラ１００全体の動作を統括制御する。コントローラ１３５はＣＰＵ等を含み、ＣＰＵがプログラム（ソフトウェア）を実行することで所定の機能を実現する。コントローラ１３５は、ＣＰＵに代えて、所定の機能を実現するように設計された専用の電子回路で構成されるプロセッサを含んでもよい。すなわち、コントローラ１３５は、ＣＰＵ、ＭＰＵ、ＧＰＵ、ＤＳＵ、ＦＰＧＡ、ＡＳＩＣ等の種々のプロセッサで実現できる。コントローラ１３５は１つまたは複数のプロセッサで構成されてもよい。また、コントローラ１３５は、画像処理エンジン１２０などと共に１つの半導体チップで構成されてもよい。コントローラ１３５は、制御部の一例である。
【００２３】
バッファメモリ１２５は、画像処理エンジン１２０やコントローラ１３５のワークメモリとして機能する記録媒体である。バッファメモリ１２５は、ＤＲＡＭ(Dynamic Random Access Memory)などにより実現される。フラッシュメモリ１４５は不揮発性の記録媒体である。また、図示していないが、コントローラ１３５は各種の内部メモリを有してもよく、例えばＲＯＭを内蔵してもよい。ＲＯＭには、コントローラ１３５が実行する様々なプログラムが記憶されている。また、コントローラ１３５は、ＣＰＵの作業領域として機能するＲＡＭを内蔵してもよい。
【００２４】
カードスロット１４０は、着脱可能なメモリカード１４２が挿入される手段である。カードスロット１４０は、メモリカード１４２を電気的及び機械的に接続可能である。メモリカード１４２は、内部にフラッシュメモリ等の記録素子を備えた外部メモリである。メモリカード１４２は、画像処理エンジン１２０で生成される画像データなどのデータを格納できる。
【００２５】
通信モジュール１５５は、通信規格ＩＥＥＥ８０２．１１またはＷｉ−Ｆｉ規格等に準拠した通信を行う通信モジュール（回路）である。デジタルカメラ１００は、通信モジュール１５５を介して、他の機器と通信することができる。デジタルカメラ１００は、通信モジュール１５５を介して、他の機器と直接通信を行ってもよいし、アクセスポイント経由で通信を行ってもよい。通信モジュール１５５は、インターネット等の通信ネットワークに接続可能であってもよい。
【００２６】
報知部１６５は、コントローラ１３５から入力される音データを、音に変換して出力するモジュールである。報知部１６５は、ＤＡコンバータ、スピーカ等で構成される。ＤＡコンバータは、コントローラ１３５から入力される、音データを含むデジタル信号をアナログ信号に変換する。スピーカは、ＤＡコンバータから入力されるアナログ信号を、音に変換して出力する。
【００２７】
〔１−２．動作〕
以上のように構成されるデジタルカメラ１００の動作について、以下説明する。
【００２８】
図２は、デジタルカメラ１００の静止画の撮影動作を示すフローチャートである。図２のフローチャートによる各処理は、デジタルカメラ１００のコントローラ１３５によって実行される。本フローチャートは、例えばデジタルカメラ１００の起動後に、ユーザ操作に応じて行われる。
【００２９】
まず、コントローラ１３５は、操作部１５０におけるレリーズ釦が半押しされたか否かを検知する（Ｓ１０１）。ユーザは、例えばデジタルカメラ１００のファインダを覗いたり、表示モニタ１３０を視認したりしながら、所望の被写体が映ったとき等にレリーズ釦を操作することができる。
【００３０】
ユーザがレリーズ釦を半押しすると（Ｓ１０１でＹＥＳ）、コントローラ１３５は、レンズ駆動部１１２を介して、例えば被写体に対して合焦するように、光学系１１０のフォーカスレンズを駆動する合焦動作を制御する（Ｓ１０２）。ステップＳ１０２では、画像中で合焦対象として予め定められた領域に対して合焦が行われてもよいし、合焦対象の被写体の画像認識が行われてもよい。
【００３１】
合焦動作が完了すると、コントローラ１３５は、合焦が完了したことをユーザに報知する合焦音を、報知部１６５から出力する（Ｓ１０３）。後述するように、本実施の形態のデジタルカメラ１００は、ユーザにとって聞き心地が良い合焦音を出力する。
【００３２】
また、コントローラ１３５は、レリーズ釦が全押しされたか否かを検知する（Ｓ１０４）。なお、レリーズ釦の半押しが解除された場合、コントローラ１３５は、操作部１３５からの半押しの解除を検知して、ステップＳ１０１に戻ることができる。
【００３３】
コントローラ１３５は、レリーズ釦が全押しされたことを検知すると（Ｓ１０４でＹＥＳ）、コントローラ１３５は、イメージセンサ１１５による撮像動作を制御して、撮像結果の画像データをメモリカード１４２等に記録する（Ｓ１０５）。これにより、本フローチャートによる処理は終了する。
【００３４】
ステップＳ１０２の合焦動作は、ワンショットＡＦであってもよいし、コンティニュアスＡＦであってもよい。例えば、レリーズ釦の半押し後（Ｓ１０２でＹＥＳ）に、合焦動作が複数回行われた場合、コントローラ１３５は、各回の合焦動作に応じて合焦音を出力させてもよいし、合焦音の出力を適宜、制限してもよい。
【００３５】
〔１−３．合焦音について〕
以上のようなデジタルカメラ１００の動作時に出力される（図２のＳ１０３）、本実施形態の合焦音について、以下詳細に説明する。
【００３６】
図３は、実施の形態１のデジタルカメラ１００の合焦音の周波数特性を説明するための図である。図３（Ａ）は、単音に基づく合焦音の周波数特性を例示する。図３（Ｂ）は、本実施形態における合焦音の周波数特性を例示する。図３（Ａ），（Ｂ）において、横軸は周波数を示し、縦軸は音の出力レベル（即ち音圧レベルに相当する）を示す。
【００３７】
図４は、２音間の協和度を説明するための図である。協和度は、例えば２音が美しく調和して響く度合いをいう。図４のような協和度は、例えば亀岡モデルなどの予測モデルにより計算可能である（非特許文献２参照）。
【００３８】
図４の横軸において、２音間の音程を半音の数で表すと共に、２音のうちの高音の周波数を例示している。また、図中の比ａ：ｂは、２音間の周波数比を例示している。図４の各グラフＧ（ｎ）は、倍音数ｎ（＝１〜６）における２音間の協和度を示す。例えば、グラフＧ（１）は、２音のうちの高音でない基本音が４４０Ｈｚに対して高音８８０Ｈｚまでを考慮しており、グラフＧ（４）は基本音１７６０Ｈｚに対して高音３５２０Ｈｚまでを考慮している。
【００３９】
図３（Ａ）の例では、合焦音は、４．４０ｋＨｚにおいて音の出力レベルがピークとなる周波数成分ｆ１に加えて、８．８０ｋＨｚの周波数成分ｆ２も含んでいる。合焦音に単音の周波数が設定された場合であっても、スピーカの性能等によっては、出力される合焦音の周波数特性には、設定された周波数の整数倍、即ち倍音の周波数成分が含まれ得る。この場合であっても、図４によると協和度は２音の周波数が同じ場合と同程度に高くなる。
【００４０】
本願発明者の鋭意研究の結果、図３（Ａ）のような合焦音は、協和度が高いだけでなく直進性も高く、耳に刺さるような耳障りな不快感をユーザに与え得るという問題が明らかになった。このような不快感は、倍音の周波数成分ｆ２の有無に拘らず生じてしまう。また、ユーザは、例えばファインダを覗いて被写体に注視しながら、スピーカ近傍で合焦音を聴くこととなり、合焦音はユーザに強い印象を与えがちと考えられる。
【００４１】
一方、合焦音は、合焦したことをユーザに報知するための効果音であって、合焦音の印象が強いことは一概に悪影響ではないとも考えられる。現行、カメラメーカ各社は、独自で選定した周波数に基づく単音の組み合わせ音を合焦音として用いている。合焦音の音色には各社のブランド的価値も化体しているとも考えられ、当業者が合焦音の周波数特性を抜本的に変更するような発想に到ることは困難であった。
【００４２】
これに対して、本願発明者は上記問題の観点から合焦音について鋭意研究を重ね、合焦音を単音の周波数特性で構成する代わりに、倍音を除いた協和音のような和音の周波数特性で構成する発想を考案するに到った。このような合焦音によると、図４に示すように倍音よりは低い協和度となる一方で直進性も低減でき、ユーザの耳に刺さるような耳障りを和らげることができる。更なる鋭意研究により、本願発明者は、例えば図３（Ｂ）の周波数特性に例示するように、本実施形態のデジタルカメラ１００に出力させる合焦音を想到するに到った。
【００４３】
本実施形態において、デジタルカメラ１００の合焦音は、完全５度の協和音に設定される。図３（Ｂ）の例において、合焦音は、周波数４．４０ｋＨｚにおいて音の出力レベルがピークとなる基本音成分ｆ１１と、周波数６．６０ｋＨｚにおいて音の出力レベルがピークとなる高音成分ｆ２１とを有する。基本音成分ｆ１１と高音成分ｆ２１との周波数比は２：３であり、完全５度の協和音が構成される。基本音成分ｆ１１は、当該成分ｆ１１のピークの周波数を第１の周波数とする第１音成分の一例である。高音成分ｆ２１は、当該成分ｆ２１のピークの周波数を第２の周波数とする第２音成分の一例である。
【００４４】
図４によると、周波数が高くなる程、協和音と不協和音との協和度の差が大きくなることが分かる。合焦音に含める基本音成分ｆ１１と高音成分ｆ２１とは、周波数比によっては不協和音となるなど、協和度が低くなり過ぎて違和感をユーザに与える可能性についても、本願発明者は検討した。例えば完全５度の合焦音によると、図４では倍音の次に高い協和度が得られる。これにより、本実施形態のデジタルカメラ１００は、ユーザが心地良く感じられる合焦音を出力することができる。
【００４５】
デジタルカメラ１００は、合焦音の周波数を高くするほど、合焦動作が高スピードで行われたような感覚すなわち合焦スピード感をユーザに与えると考えられる。ここで、周波数が高くなるほど音の直進性が強くなり、耳障りになる懸念が考えられる。これに対して、本実施形態のデジタルカメラ１００によると、図３（Ｂ）等のような高周波数を用いた完全５度の周波数特性により、合焦スピード感を与えつつ耳障りを和らげた合焦音を実現することができる。例えば、図３（Ｂ）の例では高音の聞こえ方により、機械の精緻さを想起させるような印象を与えられる場合がある。
【００４６】
図５は、実施の形態１に係るデジタルカメラ１００の合焦音の波形を説明するための図である。図５において、縦軸は音の出力レベル［ｄＢ］を示し、横軸は時間を示す。
【００４７】
図５（Ａ）は、本実施の形態に係るデジタルカメラ１００の合焦音の一部の波形を例示する波形図である。デジタルカメラ１００の合焦音の振幅は、基本音成分ｆ１１と高音成分ｆ２１との重ね合わせにより、各々の周期よりも長い周期で周期的に変動する。
【００４８】
本実施形態のデジタルカメラ１００は、以上のような周波数特性を有する音波を２回、発して合焦音を出力する。これにより、例えば合焦音を擬音的に「ピピッ」と表現すると、後半の「ピッ」が聴こえた際に合焦動作が完了したと感じさせる印象（以下「合焦停止感」という）をユーザに与えることが可能である。
【００４９】
図５（Ｂ）は、本実施形態における合焦音の全体の波形図を例示する。図５（Ｂ）に示すように、デジタルカメラ１００の合焦音は、第１の音波Ｗ１と、第１の音波Ｗ１の後に出力される第２の音波Ｗ２と、を含む。
【００５０】
第１の音波Ｗ１は振幅Ａ１を有し、第２の音波Ｗ２は振幅Ａ２を有する。本実施形態では、第１の音波Ｗ１の振幅Ａ１が第２の音波Ｗ２の振幅Ａ２よりも小さく、即ち振幅Ａ１よりも振幅Ａ２が大きく設定される。これにより、合焦音の後半に聴こえる音を際立たせて、合焦停止感を向上することができる。
【００５１】
また、本実施形態では、各音波Ｗ１，Ｗ２の波形において、終端に向けてフェードをかけることにより、合焦音がフェードアウトするように設定される。合焦音を和音で構成した場合、音の余韻に混じり気があるような違和感が残ることが考えられる。これに対して、合焦音にフェードをかけることにより、上記の違和感を解消し、歯切れが良い合焦音を実現することができる。
【００５２】
以上のような合焦音の波形を示す音データは、デジタルカメラ１００においてフラッシュメモリ１４５等に予め格納される。デジタルカメラ１００のコントローラ１３５は、合焦音の出力時（図２のＳ１０２）に当該音データを用いて、報知部１６５を制御する。
【００５３】
デジタルカメラ１００の報知部１６５は、期間Ｔ１の間、第１の音波Ｗ１を出力し、期間Ｔ２の間隔をあけて、期間Ｔ４の間、第２の音波Ｗ２を出力する。デジタルカメラ１００は、例えば期間Ｔ３経過後に振幅が０になるような一定の勾配でフェードをかけて第１の音波Ｗ１を出力する。同様に、デジタルカメラ１００は、期間Ｔ５経過後に振幅が０になるような勾配でフェードをかけて第２の音波Ｗ２を出力する。
【００５４】
本実施の形態において、期間Ｔ１，Ｔ２，Ｔ４は、それぞれ２５ｍｓｅｃ.である。Ｔ３，Ｔ５は、３７．５ｍｓｅｃ．である。第２の音波の振幅Ａ２は、第１の音波の振幅Ａ１よりも３ｄＢ程度大きい。ユーザは、第１の音波の後に第２の音波を聴くことによって、精緻に合焦した印象を得ることができる。さらに、第２の音波の振幅Ａ２が第１の音波の振幅Ａ１よりも大きいので、当該印象はより強くなる。
【００５５】
３．まとめ
以上説明したように、実施の形態１のデジタルカメラ１００は、イメージセンサ１１５と、コントローラ１３５と、報知部１６５と、を備える。イメージセンサ１１５は、光学系１１０を介して入射する被写体像を撮像する。コントローラ１３５は、光学系１１０により被写体像に合焦する合焦動作を制御する。報知部１６５は、合焦動作に応じて所定の周波数特性を有する合焦音を出力する。合焦音の周波数特性は、第１の周波数に基づく基本音成分と、第１の周波数よりも高くて且つ第１の周波数の２倍の周波数よりも低い第２の周波数に基づく高音成分とを含む。
【００５６】
このことにより、デジタルカメラ１００は、倍音よりは低い協和度となる一方で直進性も低減でき、ユーザの耳に刺さるような耳障りを和らげることができる。
【００５７】
合焦音が、基本音成分と高音成分とにおいて協和音を構成するように、第１及び第２の周波数が設定される。
【００５８】
このことにより、デジタルカメラ１００は、合焦音が協和音を構成するので、ユーザが心地良く感じられかつ機械の精緻さを想起させるような印象を与える合焦音を出力することができる。
【００５９】
報知部１６５は、合焦音をフェードアウトさせるように出力する。
【００６０】
このことにより、デジタルカメラ１００は、音の余韻に混じり気があるような違和感を解消し、歯切れの良い合焦音を出力することができる。
【００６１】
合焦音は、第１の音波Ｗ１と、第１の音波Ｗ１から時間間隔をあけて出力される第２の音波Ｗ２とを含み、第２の音波の振幅は、第１の音波の振幅よりも大きい。
【００６２】
このことにより、デジタルカメラ１００は、合焦停止感をユーザに与えることができる。
【００６３】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。そこで、以下、他の実施の形態を例示する。
【００６４】
実施の形態１のデジタルカメラ１００は、周波数４．４０ｋＨｚにおいて音の出力レベルがピークとなる基本音成分ｆ１１と、周波数６．６０ｋＨｚにおいて音の出力レベルがピークとなる高音成分ｆ２１とを有する合焦音を出力するが、本開示はこれに限定されない。図６（Ａ）は、合焦音の周波数特性の変形例を示す。図６（Ｂ）は、本変形例の合焦音の波形図を示す。本実施形態において、デジタルカメラ１００は、図６（Ａ）に示すように、周波数６．６０ｋＨｚにおいて音の出力レベルがピークとなる高音成分ｆ２１に代えて、周波数５．８６ｋＨｚにおいて音の出力レベルがピークとなる高音成分ｆ２２とを有する合焦音を出力してもよい。このとき、基本音成分ｆ１１と高音成分ｆ２２との周波数比は３：４であり、完全４度の協和音が構成される。この場合の合焦音は、図６（Ｂ）に示すように、完全５度の場合（図５（Ａ））とは異なった波形の周期性において出力される。
【００６５】
実施の形態１の合焦音の協和音は完全５度の音であり、実施の形態２の合焦音の協和音は完全４度の音であるが、特にこれに限定されない。
【００６６】
本実施形態のデジタルカメラ１は、イメージセンサ１１５と、コントローラ１３５と、報知部１６５と、を備える。イメージセンサ１１５は、光学系１１０を介して入射する被写体像を撮像する。コントローラ１３５は、光学系１１０により被写体像に合焦する合焦動作を制御する。報知部１６５は、合焦動作に応じて合焦音を出力する。合焦音は、完全５度と完全４度とのうちの少なくとも一方の協和音を構成してもよい。
【００６７】
上記実施の形態において、合焦音は４．４０ｋＨｚの基本音成分を含むが、本開示はこれに限定されない。本実施形態において、合焦音は別の周波数の基本音成分を含んでもよい。
【００６８】
図５の例において、期間Ｔ２は２５ｍｓｅｃ．であったが、本開示はこれに限定されない。ユーザが第１の音波及び第２の音波それぞれを認識できるようにする観点からは、期間Ｔ２は１０ｍｓｅｃ．以上の期間であればよい。例えば、期間Ｔ２は、１０ｍｓｅｃ．から５０ｍｓｅｃ．までの間で設定されてもよい。
【００６９】
図５の例における第２の音波の振幅Ａ２は、第１の音波の振幅Ａ１よりも３ｄＢ程度大きいが、本開示はこれに限定されない。ユーザが、第２の音波の音量が第１の音波のものよりも大きいことを認識できるようにする観点からは、第２の音波の振幅Ａ２は、第１の音波の振幅Ａ１より、少なくとも３ｄＢ大きければよい。
【００７０】
図５（Ｂ）において、報知部１６５は、３７．５ｍｓｅｃ．（Ｔ３）後に振幅が０になるような一定の勾配でフェードをかけて第１の音波Ｗ１を出力するが、本開示はこれに限定されない。例えば、報知部１６５は、音の出力レベルがピークとなる周波数が低いほど期間Ｔ３が短くなるような勾配でフェードをかけて第１の音波Ｗ１を出力してもよい。例えば、図７（Ａ）のように、第１の音波が、３．５２０ｋＨｚにおいて音の出力レベルがピークとなる基本音成分と、５．２８０ｋＨｚにおいて音の出力レベルがピークとなる高音成分とを含む場合、期間Ｔ３は、５０ｍｓｅｃ．である。また、図７（Ｂ）のように、第１の音波が、０．８８０ｋＨｚにおいて音の出力レベルがピークとなる基本音成分と、１．３２０ｋＨｚにおいて音の出力レベルがピークとなる高音成分とを含む場合、期間Ｔ３は、２５ｍｓｅｃ．である。期間Ｔ５についても同様である。
【００７１】
報知部１６５は、ＤＡコンバータを含んでもよいが、これに限定されない。例えば、ＤＡコンバータは、コントローラ１３５に含まれてもよい。
【００７２】
報知部１６５は、一定の勾配でフェードをかけて各音波Ｗ１，Ｗ２を出力してもよいが、これに限定されない。例えば、報知部１６５は、変化する勾配でフェードをかけて各音波Ｗ１，Ｗ２を出力してもよい。
【００７３】
上記実施の形態において、合焦音は、基本音成分と高音成分とにおいて協和音を構成したが、各成分の（ピークの）周波数は適宜、許容誤差の範囲内で設定可能である。例えば、当該高音成分は、基本音成分の周波数よりも理論的な協和音の周波数比の分、高い周波数に対して、４分音低い音程から４分音高い音程までの範囲内で設定されてもよい。また、当該高音成分は、図４における、協和音を構成する音の出力レベルのピークの半値幅の帯域内で設定されてもよい。
【００７４】
上記実施の形態において、合焦音は、２つの音波Ｗ１，Ｗ２で構成されたが、３つ以上の音波で構成されてもよい。本実施形態の合焦音は、基本音成分と高音成分の２つの音成分を含むが、３つ以上の音成分を含んでもよい。
【００７５】
本実施形態において、デジタルカメラ１００は、レンズ一体型のデジタルカメラに限らず、例えばレンズ交換型のデジタルカメラであってもよい。
【００７６】
以上のように、本開示における技術の例示として、実施の形態を説明した。そのために、添付図面及び詳細な説明を提供した。
【００７７】
従って、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７８】
また、上述の実施の形態は、本開示における技術を例示するためのものであるから、特許請求の範囲又はその均等の範囲において種々の変更、置き換え、付加、省略等を行うことができる。
【産業上の利用可能性】
【００７９】
本開示の思想は、合焦機能を備えた撮像機能を有する電子装置（デジタルカメラやカムコーダ等の撮像装置、携帯電話、スマートフォン等）に適用することができる。
【図１】
2020129576.tif 000003
【図２】
2020129576.tif 000004
【図３】
2020129576.tif 000005
【図４】
2020129576.tif 000006
【図５】
2020129576.tif 000007
【図６】
2020129576.tif 000008
【図７】
2020129576.tif 000009
【手続補正書】
【提出日】令和3年2月4日(2021.2.4)
【手続補正１】
【補正対象書類名】特許請求の範囲
【補正対象項目名】全文
【補正方法】変更
【補正の内容】
【特許請求の範囲】
【請求項１】
光学系を介して入射する被写体像を撮像する撮像部と、
前記光学系により前記被写体像に合焦する合焦動作を制御する制御部と、
前記合焦動作に応じて所定の周波数特性を有する合焦音を出力する報知部と、
を備え、
前記合焦音の周波数特性は、第１の周波数に基づく第１音成分と、前記第１の周波数よりも高くて且つ前記第１の周波数の２倍の周波数よりも低い第２の周波数に基づく第２音成分とを含み、
前記合焦音が、前記第１音成分と前記第２音成分とにおいて協和音を構成するように、前記第１及び第２の周波数が設定され、
前記合焦音の協和音は、完全５度と完全４度とのうちの少なくとも一方である
撮像装置。
【請求項２】
前記報知部は、前記合焦音をフェードアウトさせるように出力する
請求項１に記載の撮像装置。
【請求項３】
前記合焦音は、第１の音波と、前記第１の音波から時間間隔をあけて出力される第２の音波とを含み、
前記第２の音波の振幅は、前記第１の音波の振幅よりも大きい
請求項１又は２に記載の撮像装置。
【国際調査報告】
2020129576.tif 000010
2020129576.tif 000011
2020129576.tif 000012
2020129576.tif 000013
2020129576.tif 000014